(57)【要約】【課題】被験者の感情の識別精度を向上させる。【解決手段】被験者の感情を識別する感情識別装置１は、被験者の脳のうち、前頭葉のみにおける少なくとも１つの測定部位について、近赤外分光法により、少なくとも血液中の酸素化ヘモグロビン濃度に関する情報を、血流情報として取得するセンサ１５及び計測部１８と、センサ１５及び計測部１８により取得された血流情報に基づいて、被験者の感情を識別するように構成された識別処理部２３と、を備える。【選択図】図１
2019136183.tif 000002
【特許請求の範囲】
【請求項１】
被験者の脳のうち、前頭葉のみにおける少なくとも１つの測定部位について、近赤外分光法により、少なくとも血液中の酸素化ヘモグロビン濃度に関する情報を、血流情報として取得するように構成された取得部（１５，１８）と、
前記取得部により取得された前記血流情報に基づいて、前記被験者の感情を識別するように構成された識別部（２３）と、
を備える感情識別装置。
【請求項２】
請求項１に記載の感情識別装置であって、
前記少なくとも１つの測定部位の全ては、前記被験者の額の皮膚表皮から入射された近赤外光が到達する前記前頭葉における部位である、
感情識別装置。
【請求項３】
請求項２に記載の感情識別装置であって、
前記少なくとも１つの測定部位として、前記被験者の額における皮膚表皮から入射された近赤外光が到達する前記前頭葉の中央部の部位がある、
感情識別装置。
【請求項４】
請求項１ないし請求項３の何れか１項に記載の感情識別装置であって、
前記識別部は、前記被験者の感情として、少なくとも快と不快を識別するように構成されている、
感情識別装置。
【請求項５】
請求項１ないし請求項４の何れか１項に記載の感情識別装置であって、
前記取得部は、前記酸素化ヘモグロビン濃度に関する情報として、少なくとも、前記酸素化ヘモグロビン濃度の単位時間当たりの変化量である酸素化ヘモグロビン濃度変化の微分値を、取得するように構成されている、
感情識別装置。
【請求項６】
請求項５に記載の感情識別装置であって、
前記取得部は、前記血流情報として、前記酸素化ヘモグロビン濃度変化と、前記酸素化ヘモグロビン濃度変化の微分値と、血液中の脱酸素化ヘモグロビン濃度の単位時間当たりの変化量である脱酸素化ヘモグロビン濃度変化と、前記脱酸素化ヘモグロビン濃度変化の微分値と、を取得するように構成されている、
感情識別装置。
【請求項７】
請求項１ないし請求項４の何れか１項に記載の感情識別装置であって、
前記取得部は、前記酸素化ヘモグロビン濃度に関する情報として、少なくとも、前記酸素化ヘモグロビン濃度の単位時間当たりの変化量である酸素化ヘモグロビン濃度変化を、取得するように構成され、
前記識別部は、前記酸素化ヘモグロビン濃度変化の微分値を算出し、当該微分値を少なくとも用いて、前記被験者の感情を識別するように構成されている、
感情識別装置。
【請求項８】
請求項７に記載の感情識別装置であって、
前記取得部は、前記血流情報として、前記酸素化ヘモグロビン濃度変化と、血液中の脱酸素化ヘモグロビン濃度の単位時間当たりの変化量である脱酸素化ヘモグロビン濃度変化と、を取得するように構成され、
前記識別部は、前記酸素化ヘモグロビン濃度変化の微分値と、前記脱酸素化ヘモグロビン濃度変化の微分値とを算出し、前記酸素化ヘモグロビン濃度変化と、前記酸素化ヘモグロビン濃度変化の微分値と、前記脱酸素化ヘモグロビン濃度変化と、前記脱酸素化ヘモグロビン濃度変化の微分値とを用いて、前記被験者の感情を識別するように構成されている、
感情識別装置。
【請求項９】
請求項１ないし請求項８の何れか１項に記載の感情識別装置であって、
前記取得部により取得された前記血流情報を、無線により送信するように構成された送信部（１９）と、
前記送信部により送信された前記血流情報を受信するように構成された受信部（２１）と、を更に備え、
前記識別部は、前記受信部から前記血流情報が入力されるように構成されている、
感情識別装置。
【請求項１０】
請求項１ないし請求項９の何れか１項に記載の感情識別装置であって、
前記被験者は、乗り物の乗員であり、
前記識別部による感情の識別結果に基づいて、前記被験者の感情を所定の感情に誘導するための処理を行うように構成された誘導部（２７）、を更に備える、
感情識別装置。
【発明の詳細な説明】
【技術分野】
【０００１】
本開示は、被験者の感情を識別する技術に関する。
【背景技術】
【０００２】
下記の特許文献１には、被験者の頭部における広範囲の複数位置に取り付けられた近赤外分光法のセンサにより、被験者の脳表層における血液中の酸化ヘモグロビン濃度及び還元ヘモグロビン濃度を測定し、その測定結果から被験者の感情を識別する装置が記載されている。
【先行技術文献】
【特許文献】
【０００３】
【特許文献１】特開２００６−９５２６６号公報
【発明の概要】
【発明が解決しようとする課題】
【０００４】
特許文献１に記載の装置では、近赤外分光法における測定部位が、被験者の頭部の概ね全体に分布されて多いため、被験者に対する拘束性が高くなり、被験者に不快感を与える可能性がある。被験者が測定時に感じる不快感は、測定結果に影響するため、被験者の感情を正しく識別できない可能性が高くなる。
【０００５】
そこで、本開示の１つの局面は、被験者の感情の識別精度を向上させることにある。
【課題を解決するための手段】
【０００６】
本開示の１つの態様による感情識別装置は、取得部（１５，１８）と、識別部（２３）と、を備える。
取得部は、被験者の脳のうち、前頭葉のみにおける少なくとも１つの測定部位について、近赤外分光法により、少なくとも血液中の酸素化ヘモグロビン濃度に関する情報を、血流情報として取得する。そして、識別部は、取得部により取得された血流情報に基づいて、被験者の感情を識別する。
【０００７】
発明者は、人の脳のうち、特に前頭葉において、血液中の酸素化ヘモグロビン濃度と感情とに大きな関係性があることを発見した。このため、本開示の１つの態様による感情識別装置では、被験者の脳のうち、特に前頭葉のみを対象として、少なくとも血液中の酸素化ヘモグロビン濃度に関する情報を取得し、その取得した情報に基づいて被験者の感情を識別する。
【０００８】
この構成によれば、近赤外分光法による測定部位を前頭葉に限定するにも拘わらず、良好な感情識別精度を確保することができる。そして、測定部位が少なくなることから、被験者が測定時に感じる不快感が低減され、その結果、感情識別精度を向上させることができる。また、測定部位が少なくなることから、装置の構成が簡素化され、装置の低コスト化が実現し易い。
【０００９】
尚、この欄及び特許請求の範囲に記載した括弧内の符号は、一つの態様として後述する実施形態に記載の具体的手段との対応関係を示すものであって、本開示の技術的範囲を限定するものではない。
【図面の簡単な説明】
【００１０】
【図１】第１及び第２の実施態様の感情識別装置の構成を示すブロック図である。
【図２】第１及び第２の実施形態の感情識別装置で実施される処理のフローチャートである。
【図３】第１及び第２の実施形態の効果の一部を説明する説明図である。
【図４】第１の変形例の説明図である。
【図５】第２の変形例の説明図である。
【図６】第３の変形例の説明図である。
【発明を実施するための形態】
【００１１】
以下、図面を参照しながら、本開示の実施形態を説明する。
［１．第１実施形態の構成］
図１に示すように、第１実施態様の感情識別装置１は、感情識別の対象者である被験者に装着される計測装置２と、被験者の感情を識別するための処理等を行う処理装置３とを、備える。
【００１２】
計測装置２は、被験者の頭部に装着されるサンバイザー型であり、サンバイザー本体１１と、サンバイザー本体１１に設けられたセンシング部１３と、を備える。
センシング部１３は、近赤外分光法の複数のセンサ１５と、センシング処理回路１７と、を備える。各センサ１５は、近赤外光を出力する発光部１５ａと、該発光部１５ａに対して所定距離だけ離れて設けられた受光部１５ｂと、を備える。センサ１５の数は、本第１実施形態では５つである。
【００１３】
サンバイザー本体１１において、センシング部１３は、被験者の額に上記５つのセンサ１５が接するように設けられる。
サンバイザー型の計測装置２が被験者の頭部に装着された状態において、各センサ１５の発光部１５ａから出力された近赤外光は、被験者の額の皮膚表皮から被験者の前頭葉に到達する。具体的には、発光部１５ａからの近赤外光は、額の皮膚表皮から数ｍｍの深さにある大脳皮質（即ち、前頭葉）の部位に到達する。ここで言う数ｍｍとは、詳しくは、約１５〜３０ｍｍである。そして、発光部１５ａからの近赤外光は、被験者の前頭葉で拡散されたり吸収されたりしながら、一部が被験者の額の皮膚表皮上に戻る。皮膚表皮上に戻ってきた近赤外光が、各センサ１５の受光部１５ｂによって検出される。受光部１５ｂは、検出した近赤外光の強さに応じた電気信号を出力する。また、発光部１５ａからは、複数通りの波長の近赤外光が出力される。複数通りの波長としては、生物学的光学窓に該当する７００〜１２００ｎｍである。
【００１４】
また、センシング部１３において、５つのセンサ１５は、左右の方向に所定の間隔で設けられている。尚、ここで言う左右の方向や、後述する縦方向は、被験者の頭部を基準にした方向である。
【００１５】
つまり、感情識別装置１では、被験者の脳のうち、前頭葉のみにおける５つの部位を、近赤外分光法の測定部位としている。そして、５つの測定部位の全ては、被験者の額の皮膚表皮から入射された近赤外光が到達する前頭葉における部位である。
【００１６】
また、図１において、符号Ｙ１が付された縦方向の一点鎖線は、計測装置２が被験者の頭部に装着された状態において、被験者の額の中央部を通る縦方向の仮想線である。そして、５つのセンサ１５のうち、中央のセンサ１５を、中央センサ１５Ｃと称することにする。中央センサ１５Ｃは、当該センサ１５Ｃの発光部１５ａと受光部１５ｂが上記仮想線上に位置すると共に、当該センサ１５Ｃの発光部１５ａの位置が被験者の額の中央部と概ね一致するように、設けられている。このため、５つの測定部位のうちの１つは、被験者の額における前頭葉中央部の部位である。
【００１７】
センシング処理回路１７は、計測部１８と、送信部１９と、を備える。
計測部１８は、各センサ１５の発光部１５ａを制御すると共に、各センサ１５の受光部１５ｂから出力される信号に基づいて、被験者の前頭葉における血流情報（即ち、脳血流情報）として、下記４種類の血流情報をセンサ１５毎に且つ一定時間毎に計測する。
【００１８】
計測される血流情報としては、酸素化ヘモグロビン濃度変化と、酸素化ヘモグロビン濃度変化の微分値と、脱酸素化ヘモグロビン濃度変化と、脱酸素化ヘモグロビン濃度変化の微分値と、がある。尚、酸素化ヘモグロビン濃度変化とは、血液中の酸素化ヘモグロビン濃度の単位時間当たりの変化量である。同様に、脱酸素化ヘモグロビン濃度変化とは、血液中の脱酸素化ヘモグロビン濃度の単位時間当たりの変化量である。単位時間は、例えば上記一定時間と等しい。以下では、計測部１８による血流情報の計測結果を、総称して、計測データという。計測データはセンサ１５毎に存在する。
【００１９】
そして、計測部１８による計測データは、送信部１９により無線信号として処理装置３へと送信される。
尚、計測部１８は、例えば、ＣＰＵ、ＲＡＭ及びＲＯＭ等を備えたマイクロコンピュータを中心にして構成されて良い。この場合、計測部１８の機能は、ＣＰＵが非遷移的実体的記録媒体に格納されたプログラムを実行することにより実現される。この例では、上記ＲＯＭが、プログラムを格納した非遷移的実体的記録媒体に該当する。また、このプログラムが実行されることで、プログラムに対応する方法が実行される。また、計測部１８は、複数のマイクロコンピュータを備えても良い。また、計測部１８の機能を実現する手法はソフトウェアに限るものではなく、その一部又は全部の機能は、一つあるいは複数のハードウェアを用いて実現されても良い。例えば、計測部１８の機能がハードウェアである電子回路によって実現される場合、その電子回路は、デジタル回路、又はアナログ回路、あるいはこれらの組合せによって実現されても良い。
【００２０】
処理装置３は、受信部２１と、識別処理部２３と、表示部２５と、誘導処理部２７と、を備える。
受信部２１は、送信部１９により無線信号として送信された血流情報を受信する。具体的には、受信部２１は、送信部１９によって送信された無線信号を受信して、その受信した信号から、センサ１５毎の計測データ（即ち、血流情報）を取得する。そして、受信部２１が取得した血流情報は、識別処理部２３に入力される。つまり、識別処理部２３には、計測部１８による計測データが、無線通信を介して入力される。尚、無線通信の方式としては、例えば、Bluetooth（登録商標）又はZigBee（登録商標）又はWi-Fi（登録商標）であって良いし、他の方式であっても良い。
【００２１】
識別処理部２３は、受信部２１から入力される血流情報に基づいて、被験者の感情を識別する。また、識別処理部２３は、感情の識別結果を示す画像を、表示部２５に表示させる。表示部２５は、例えば液晶パネルによって構成されている。
【００２２】
誘導処理部２７は、識別処理部２３による感情の識別結果に基づいて、被験者の感情を所定の感情に誘導するための感情誘導処理を行う。本実施形態では、被験者が乗り物の乗員（例えば、運転者）であり、上記所定の感情は、乗り物の運転に適すると考えられる感情、例えばリラックスした感情に誘導するための処理を行う。被験者が運転する乗り物としては、車両又は電車又は飛行機等が考えられるが、他の種類の乗り物であっても良い。
【００２３】
尚、識別処理部２３及び誘導処理部２７の各機能は、例えば、処理装置３に備えられたＣＰＵ３１が、処理装置３に備えられた記憶装置３３内のプログラムを実行することで実現される。この場合、記憶装置３３が、プログラムを格納した非遷移的実体的記録媒体に該当する。また、このプログラムが実行されることで、プログラムに対応する方法が実行される。また、識別処理部２３及び誘導処理部２７の各機能を実現する手法はソフトウェアに限るものではなく、その一部又は全部の機能は、一つあるいは複数のハードウェアを用いて実現されても良い。例えば、上記機能がハードウェアである電子回路によって実現される場合、その電子回路は、デジタル回路、又はアナログ回路、あるいはこれらの組合せによって実現されても良い。
【００２４】
［２．第１実施形態の処理］
次に、感情識別装置１で実施される処理について、図２のフローチャートを用いて説明する。
【００２５】
図２に示すように、感情識別装置１に電源が投入されると、Ｓ１１０にて、センシング部１３における計測部１８が、各センサ１５の発光部１５ａを制御すると共に、各センサ１５の受光部１５ｂからの信号を取り込むことにより、センサ１５毎に上記４種類の血流情報を計測する。計測部１８による計測は、所定時間の計測期間において、前述の一定時間毎に実施される。
【００２６】
次のＳ１２０にて、センシング部１３における送信部１９が、計測部１８による計測データを無線信号に変換して処理装置３へと送信する。そして、処理装置３の受信部２１が、送信部１９によって送信された無線信号を受信して、その受信した信号からセンサ１５毎の計測データを取得する。例えば、送信部１９から受信部２１へは、計測期間分の計測データがまとめて転送されても良いし、計測期間分の計測データが所定量ずつ分けられて転送されても良い。
【００２７】
次のＳ１３０にて、処理装置３の識別処理部２３が、受信部２１にて取得された計測期間分の計測データに対して、センサ１５毎に下記の演算を行う。
識別処理部２３は、計測期間分の酸素化ヘモグロビン濃度変化の平均値を算出する。ここで言う平均値は、時間平均値である。つまり、計測期間において一定時間毎に計測された酸素化ヘモグロビン濃度変化の合計値を、計測期間の時間長で割った値を算出する。
【００２８】
そして、識別処理部２３は、酸素化ヘモグロビン濃度変化の微分値と、脱酸素化ヘモグロビン濃度変化と、脱酸素化ヘモグロビン濃度変化の微分値との、それぞれについても、計測期間分の計測結果の平均値を算出する。
【００２９】
このため、Ｓ１３０での演算により、センサ１５毎について４種類の平均値が算出される。本第１実施形態では、センサ１５の数が５つであるため、合計２０種類の平均値が算出される。これら２０種類の平均値は、個々に区別される。
【００３０】
そして、識別処理部２３は、次のＳ１４０にて、Ｓ１３０で算出された２０種類の平均値と、被験者の感情を識別するために事前に用意されたデータベースにおける識別用データとを比較することにより、被験者の現在の感情を識別する。
【００３１】
本実施形態では、被験者の感情として、「快」と「不快」とが識別される。更に、「快」は、「高覚醒の快」と「低覚醒の快」とに識別される。「高覚醒の快」は、不快ではなく気持ちが高ぶっている感情であり、例えば、興奮又は爽快という感情である。「低覚醒の快」は、不快ではなく気持ちが落ち着いている感情であり、例えば、安心又は穏やか又はリラックスという感情である。「不快」は、例えば、いらいら又は憂鬱又は気持ち悪い又は恐怖という感情である。
【００３２】
識別用データとしては、「高覚醒の快」と識別するための識別用データ（以下、高快時データ）と、「低覚醒の快」と識別するための識別用データ（以下、低快時データ）と、「不快」と識別するための識別用データ（以下、不快時データ）との、３種類がある。
【００３３】
高快時データは、被験者に「高覚醒の快」の感情を持たせるための課題動画を見せた場合に、上記Ｓ１１０及びＳ１３０と同じ処理によって算出された上記２０種類の平均値である。低快時データは、被験者に「低覚醒の快」の感情を持たせるための課題動画を見せた場合に、上記Ｓ１１０及びＳ１３０と同じ処理によって算出された上記２０種類の平均値である。不快時データは、被験者に「不快」の感情を持たせるための課題動画を見せた場合に、上記Ｓ１１０及びＳ１３０と同じ処理によって算出された上記２０種類の平均値である。
【００３４】
識別処理部２３は、Ｓ１４０では、例えば、Ｓ１３０で算出された２０種類の平均値が、上記３種類の識別用データの何れに最も近似しているかを判定し、最も近似していると判定した識別用データに対応する感情を、被験者の感情として識別する。尚、近似の判定については、例えば、サポートベクターマシン又はニューラルネットワークが使用されて良い。
【００３５】
そして、識別処理部２３は、次のＳ１５０にて、Ｓ１４０での感情の識別結果を示す画像を、表示部２５に表示させる。
また、次のＳ１６０にて、誘導処理部２７が、識別処理部２３による感情の識別結果に基づいて、前述の感情誘導処理を行う。
【００３６】
例えば、誘導処理部２７は、感情の識別結果が「高覚醒の快」又は「不快」であった場合に、被験者の感情を「低覚醒の快」に誘導するための処理を行う。具体的には、被験者の周囲に所定の香り（例えば、ラベンダーの香り）を漂わせたり、被験者を所定の照明環境（例えば青系の色にする、照度を落とす、彩度を低くする、コントラストの低い複数の色を提示するなど）に制御する。
【００３７】
また例えば、被験者による車両運転の継続時間が所定時間を超えている場合に、感情の識別結果が「低覚醒の快」であった場合に、被験者の眠気を防止するために、被験者の感情を「高覚醒の快」に誘導するための処理を行う。具体的には、被験者の周囲に所定の香り（例えば、メントールの香り）を漂わせたり、被験者を所定の照明環境（例えば赤系の色にする、照度を上げる、彩度を高くする、コントラストの高い複数の色を提示するなど）に制御する。
【００３８】
そして、次のＳ１７０にて、計測部１８が、計測を継続するか否かを判定し、計測を継続すると判定した場合には、Ｓ１１０の処理を再び行う。また、計測部１８が、計測を継続しないと判定した場合には、被験者の感情を識別するための一連の処理が終了する。
【００３９】
［３．第１実施形態の効果］
以上詳述した第１実施形態によれば、以下の効果を奏する。
（３ａ）感情識別装置１では、被験者の脳のうち、前頭葉のみにおける少なくとも１つの測定部位について、近赤外分光法により血流情報を取得し、取得した血流情報に基づいて、被験者の感情を識別している。この感情識別装置１によれば、近赤外分光法による測定部位を前頭葉に限定するにも拘わらず、良好な感情識別精度を確保することができる。そして、測定部位が少なくなることから、被験者が測定時に感じる不快感が低減され、その結果、感情識別精度を向上させることができる。また、測定部位が少なくなることから、装置の構成が簡素化され、装置の低コスト化が実現し易い。
【００４０】
（３ｂ）近赤外分光法による複数の測定部位の全ては、被験者の額の皮膚表皮から入射された近赤外光が到達する前頭葉における部位である。このため、近赤外分光法のセンサ１５（即ち、発光部１５ａ及び受光部１５ｂ）を被験者の額にだけ付ければ良い。よって、被験者に対する拘束性が非常に少なくなり、被験者が測定時に感じる不快感を一層低減することができる。
【００４１】
（３ｃ）複数の測定部位のうちの１つは、被験者の額における中央部の皮膚表皮から入射された近赤外光が到達する前頭葉の部位である。このため、感情識別の精度を向上させることができる。この効果について、図３を用いて説明する。
【００４２】
図３の左側のグラフにおいて、縦軸の「Oxy-Hb(-)」は、酸素化ヘモグロビン濃度変化を意味し、横軸は、時間を示す。
図３の左側のグラフにおいて、実線の波形は、実験対象者に「高覚醒の快」の感情を持たせるための課題動画を見せた場合に、中央センサ１５Ｃからの信号に基づいて一定時間毎に測定された酸素化ヘモグロビン濃度変化の推移を示す。
【００４３】
図３の左側のグラフにおいて、一点鎖線の波形は、実験対象者に「低覚醒の快」の感情を持たせるための課題動画を見せた場合に、中央センサ１５Ｃからの信号に基づいて一定時間毎に測定された酸素化ヘモグロビン濃度変化の推移を示す。
【００４４】
図３の左側のグラフにおいて、点線の波形は、実験対象者に「不快」の感情を持たせるための課題動画を見せた場合に、中央センサ１５Ｃからの信号に基づいて一定時間毎に測定された酸素化ヘモグロビン濃度変化の推移を示す。
【００４５】
図３の左側のグラフにおいて、符号Ｔｍを付した期間は、実験対象者に上記各課題画像を見せた期間である。
また、図３の右側は、センサ１５と同じ構成の複数のセンサを実験対象者の額の概ね全領域に分布させて取り付け、それら複数のセンサからの各信号に基づいて計測された酸素化ヘモグロビン濃度変化の分布を二次元的に表している。図３の右側は、被験者に上記各課題画像を見せている最中の酸素化ヘモグロビン濃度変化を二次元的に表したものである。そして、図３の右側においては、ドットの密度が高い領域ほど、測定された酸素化ヘモグロビン濃度変化の値が大きいことを表している。
【００４６】
図３から分かるように、「不快」の場合の酸素化ヘモグロビン濃度変化と、「快」の場合の酸素化ヘモグロビン濃度変化とには、特に、実験対象者の額の中央部に対応する前頭葉の測定部位において、大きな差が生じる。
【００４７】
このため、複数の測定部位のうちの１つを、被験者の額における前頭葉中央部の部位とすることで、「快」と「不快」とを、より正しく識別することができる。また、このため、他の測定部位を減らすかあるいは無くすことも可能となる。
【００４８】
（３ｄ）また、感情識別装置１では、血流情報のうち、酸素化ヘモグロビン濃度に関する情報として、少なくとも、酸素化ヘモグロビン濃度変化の微分値を取得し、この微分値を用いて被験者の感情を識別する。
【００４９】
図３の左側のグラフに示すように、酸素化ヘモグロビン濃度変化の値は、被験者の３分類の感情に応じて差が生じることとなり、特に、値の増減変化傾向に差が生じる。このため、酸素化ヘモグロビン濃度変化の微分値を用いて被験者の感情を識別することで、感情の識別精度を向上させることができる。
【００５０】
（３ｅ）感情識別装置１では、血流情報として、酸素化ヘモグロビン濃度変化の微分値だけでなく、酸素化ヘモグロビン濃度変化と、脱酸素化ヘモグロビン濃度変化と、脱酸素化ヘモグロビン濃度変化の微分値も取得し、これら４種類の情報を用いて、被験者の感情を識別する。このため、感情の識別精度を一層向上させることができる。
【００５１】
（３ｆ）感情識別装置１では、被験者の感情として、代表的な「快」と「不快」とを識別する。このため、識別結果を様々なアプリケーションで使用することができる。また、「快」についても「高覚醒の快」と「低覚醒の快」とに識別するため、一層詳細な識別結果が得られることとなる。
【００５２】
（３ｇ）感情識別装置１では、計測部１８による計測データが無線通信によって識別処理部２３に供給される。このため、被験者の計測時における自由度が高い。
（３ｈ）誘導処理部２７が前述の感情誘導処理を行うため、乗り物を運転する被験者の感情が乗り物の運転に適さなくなった場合に、被験者の感情を乗り物の運転に適した感情に誘導することができる。
【００５３】
尚、本実施形態では、複数のセンサ１５と計測部１８が、取得部に相当し、識別処理部２３が、識別部に相当し、誘導処理部２７が、誘導部に相当する。
［４．第２実施形態］
第２実施形態は、基本的な構成は第１実施形態と同様であるため、相違点について以下に説明する。尚、第１実施形態と同じ符号は、同一の構成を示すものであって、先行する説明を参照する。
【００５４】
第２実施形態は、第１実施形態と比較すると、下記の２点が相違する。
［４−１．第１の相違点］
図２の１１０にて、計測部１８は、血流情報として、酸素化ヘモグロビン濃度変化と、脱酸素化ヘモグロビン濃度変化とを、計測する。このため、識別処理部２３には、計測データとして、酸素化ヘモグロビン濃度変化と、脱酸素化ヘモグロビン濃度変化との、各データが入力される。
【００５５】
［４−２．第２の相違点］
図２のＳ１３０にて、識別処理部２３は、計測部１８により計測された、計測期間における一定時間毎の酸素化ヘモグロビン濃度変化から、酸素化ヘモグロビン濃度変化の微分値を算出する。また、識別処理部２３は、計測部１８により計測された、計測期間における一定時間毎の脱酸素化ヘモグロビン濃度変化から、脱酸素化ヘモグロビン濃度変化の微分値を算出する。各微分値も、計測期間における一定時間毎の値が算出される。
【００５６】
そして、図２のＳ１３０にて、識別処理部２３は、算出した酸素化ヘモグロビン濃度変化の微分値と、脱酸素化ヘモグロビン濃度変化の微分値との、それぞれについて、第１実施形態と同様に、計測期間分の平均値を算出する。また、第１実施形態と同様に、識別処理部２３は、酸素化ヘモグロビン濃度変化と、脱酸素化ヘモグロビン濃度変化との、それぞれについても、計測期間分の計測結果の平均値を算出する。
【００５７】
その後、識別処理部２３は、図２のＳ１４０にて、第１実施形態と同じ処理により、被験者の感情を識別する。
［４−３．第２実施形態の効果］
第２実施形態では、第１実施形態と比較すると、酸素化ヘモグロビン濃度変化の微分値と、脱酸素化ヘモグロビン濃度変化の微分値とが、計測部１８ではなく、識別処理部２３で算出される。このため、計測部１８で実施される処理の負荷を減らすことができる。
【００５８】
尚、第２実施形態においても、酸素化ヘモグロビン濃度変化及び脱酸素化ヘモグロビン濃度変化と、酸素化ヘモグロビン濃度変化の微分値と、脱酸素化ヘモグロビン濃度変化の微分値とが、取得部により取得される血流情報であると見なすことができる。この場合、識別処理部２３が行う処理のうち、Ｓ１３０で微分値を算出する処理と、複数のセンサ１５及び計測部１８とが、取得部に相当する。
【００５９】
一方、第２実施形態においては、酸素化ヘモグロビン濃度変化と、脱酸素化ヘモグロビン濃度変化との、２種類が、取得部により取得される血流情報であると見なすこともできる。この場合、複数のセンサ１５と計測部１８が、取得部に相当する。
【００６０】
［５．他の実施形態としての変形例］
［５−１．第１の変形例］
上記実施形態では、センサ１５の数、即ち、血流情報の計測チャンネルの数が、５つであったが、計測チャンネルの数は５つ以外であっても良い。
【００６１】
例えば図４に示すように、センシング部１３として、前述の中央センサ１５Ｃがないセンシング部１３が用いられても良い。中央センサ１５Ｃがある場合よりも感情識別精度が低下する可能性はあるが、中央センサ１５Ｃの左右のセンサ１５も、被験者の額の中央部に近い位置に配置されるため、感情識別精度が低下したとしても、その低下は小さく抑えられる。
【００６２】
［５−２．第２の変形例］
図５に示すように、センシング部１３は、複数のセンサ１５が搭載された帯状のパーツ４１と、センシング処理回路１７とが、信号伝達用のコード４３を介して接続される構成であっても良い。
【００６３】
［５−３．第３の変形例］
また、図６に示すように、センサ１５は、１つであっても良い。この場合の１つのセンサ１５は、被験者の額において前述の中央センサ１５Ｃと同じ位置に配置されるように構成されて良い。
【００６４】
尚、図１に示した実施形態のセンシング部１３についても、センサ１５の数を１つにして良い。この場合の１つのセンサ１５は、前述の中央センサ１５Ｃとして良い。
［５−４．第４の変形例］
識別処理部２３は、上記４種類の血流情報のうち、例えば、酸素化ヘモグロビン濃度変化の微分値だけに基づいて、あるいは、酸素化ヘモグロビン濃度変化の微分値と他の１種類又は２種類の血流情報とに基づいて、被験者の感情を識別するように構成されて良い。この場合、図２のＳ１１０又はＳ１３０では、上記４種類の血流情報のうち、感情の識別に使用される血流情報が計測又は算出されれば良い。
【００６５】
［５−５．第５の変形例］
識別処理部２３は、酸素飽和度を用いて被験者の感情を識別するように構成されて良い。この場合、計測部１８は、少なくとも酸素飽和度を計測するように構成されて良い。例えば、識別処理部２３は、上記４種類の血流情報のうち、酸素化ヘモグロビン濃度変化の微分値に代えて、酸素飽和度の微分値を用いるように構成されて良い。また例えば、識別処理部２３は、酸素飽和度の微分値だけを用いて被験者の感情を識別するように構成されて良い。
【００６６】
［５−６．第６の変形例］
被験者の皮膚における血流情報の影響をキャンセルするように構成しても良い。
具体的には、センサ１５の構成として、発光部１５ａから第１の距離だけ離れて設けられた第１の受光部と、発光部１５ａから第１の距離より大きい第２の距離だけ離れて設けられた第２の受光部とを、備える構成とする。第１の距離は、第１の受光部からの信号によって皮膚における血流情報が計測される距離にする。第２の距離は、第２の受光部からの信号によって前頭葉における血流情報（即ち、脳血流情報）が計測されるようにする。第２の受光部からの信号に基づく血流情報の計測結果から、第１の受光部からの信号に基づく血流情報の計測結果を引くことにより、皮膚における血流情報をキャンセルした前頭葉における血流情報を検出する。このように構成すれば、皮膚の血流情報の影響を抑制した計測結果を得ることができ、感情識別精度を向上させることができる。
【００６７】
［６．他の変形例］
以上、本開示の主な実施形態について説明したが、本開示は上述の各実施形態に限定されることなく、種々変形して実施することができる。
【００６８】
例えば、センサ１５は、被験者の頭部において、額以外で、前頭葉に対応する位置に設けられても良い。また、センサ１５を構成する発光部１５ａ及び受光部１５ｂが、被験者の頭部から離れた位置に配置されるように構成されても良い。
【００６９】
また、処理装置３を小型化して、その処理装置３もサンバイザー本体１１に設けても良い。また、感情の識別結果は、表示部２５に表示されることに代えて、音や音声で出力されても良い。また、計測部１８による計測データは、識別処理部２３へ有線通信で転送されても良い。また例えば、識別処理部２３がサンバイザー本体１１側（即ち、計測装置２側）に設けられても良い。この場合、例えば、識別処理部２３はセンシング処理回路１７内に設けられて良く、識別処理部２３による感情の識別結果が処理装置３等へ無線又は有線で送信されて良い。また、計測装置２は、サンバイザー型に限らず、例えば、はちまき型などでも良い。
【００７０】
また、識別処理部２３は、被験者の感情として、「快」と「不快」との２種類を識別するように構成されて良い。また、被験者は、乗り物の運転者でなくても良い。つまり、感情識別装置１は、乗り物の運転中に限らず、例えば遊園地や飲食店など様々な場所や状況で使用することができる。
【００７１】
また、上記実施形態における１つの構成要素が有する複数の機能を、複数の構成要素によって実現したり、１つの構成要素が有する１つの機能を、複数の構成要素によって実現したりしても良い。また、複数の構成要素が有する複数の機能を、１つの構成要素によって実現したり、複数の構成要素によって実現される１つの機能を、１つの構成要素によって実現したりしても良い。また、上記実施形態の構成の一部を省略しても良い。また、上記実施形態の構成の少なくとも一部を、他の上記実施形態の構成に対して付加又は置換しても良い。尚、特許請求の範囲に記載した文言から特定される技術思想に含まれるあらゆる態様が本開示の実施形態である。また、上述した感情識別装置の他、当該感情識別装置を構成要素とするシステム、当該感情識別装置としてコンピュータを機能させるためのプログラム、このプログラムを記録した半導体メモリ等の非遷移的実態的記録媒体、感情識別方法など、種々の形態で本開示を実現することもできる。
【符号の説明】
【００７２】
１…感情識別装置、１５…センサ、１８…計測部、２３…識別処理部
【図１】
2019136183.tif 000003
【図２】
2019136183.tif 000004
【図３】
2019136183.tif 000005
【図４】
2019136183.tif 000006
【図５】
2019136183.tif 000007
【図６】
2019136183.tif 000008